Podtech/llm-jp-corpus-v4-ja_patent huggingface dataset:
(57)【要約】【課題】傘カバーは、傘をさす時には無用になるためバッグの中やポケットに入れておくと、いつの間にか無くし勝ちである。雨の日に傘のカバーが道に落ちているのをよく見掛ける。そのような事態を防止するため、カバーを傘の柄の紐に結び付ける場合もあるが、若い女性は格好が悪いと思うのか、そうしないことが多いようである。そこで、若い女性にも受け容れ易いおしゃれな形で、目に付く所に保持するのに適した傘カバーを提案する。【解決手段】この傘カバーは、カバー本体となる柔らかい袋（１）と、袋の開口付近に取り付けられ、袋の側面に沿って延び、閉じた袋の先端部において袋から離れる引き紐（３）と、引き紐を袋の側面に沿わせる紐保持部（２）とを備える。【選択図】図４
2006034401.tif 000002
【特許請求の範囲】
【請求項１】
カバー本体となる柔らかい袋と、袋の開口付近に取り付けられ、袋の側面に沿って延び、閉じた袋の先端部において袋から離れる引き紐と、引き紐を袋の側面に沿わせる紐保持部とを備える折りたたみ傘のカバー。
【発明の詳細な説明】
【技術分野】
【０００１】
本発明は、折り畳み式洋傘の保護カバーに関する。
【背景技術】
【０００２】
通常、商品としての折り畳み式洋傘には保護カバー（以下、単に「傘カバー」という。）が付属する。傘カバーは傘をバッグの中にしまう時や、濡れた傘が人に触れないようする場合などに役に立つ。折りたたみ式でない普通の傘は傘カバーが付属しないものが多い。
【０００３】
過去の傘カバーに関する特許出願例は下記特許文献１〜３等多数あるが、本願発明と同様のアイデアを採用するものは存在しない模様である。
【０００４】
【特許文献１】特開２００２−１５９３１２号公報
【特許文献２】特開２０００−３００３２１号公報
【特許文献３】特開平０７−００８３１３号公報
【発明の開示】
【発明が解決しようとする課題】
【０００５】
傘カバーは、傘をさす時には無用になるためバッグの中やポケットに入れておくと、いつの間にか無くし勝ちである。雨の日に傘のカバーが道に落ちているのをよく見掛ける。そのようなことを防止するため、傘カバーを傘の柄の紐に結び付ける人もいるが、若い女性は格好が悪いと思うのか、そうしないことが多いようである。
【０００６】
そこで、本発明が解決しようとする課題は、若い女性にも受け容れ易いおしゃれな形で、目に付く所に飾りながら保持するのに適した傘カバーを提案することである。
【課題を解決するための手段】
【０００７】
上記の課題は、当該傘カバーが、カバー本体となる柔らかい袋と、袋の開口付近に取り付けられ、袋の側面に沿って延び、閉じた袋の先端部において袋から離れる引き紐と、引き紐を袋の側面に沿わせる紐保持部とを備えることによって解決することができる。
【発明の効果】
【０００８】
傘カバーを裏返して、その先端部を持って引き紐を引くと、柔らかい袋が小さく引き縮められ、傘のシャフトやバッグのベルト等に引き紐で取り付けるのに適した形状になる。
【０００９】
その場合、引き縮められた袋が多層に重なった花弁のように見えるので、紐を引っ張るだけで、誰でも簡単に花形のコサージュのような飾りを作ることができる。
【００１０】
このように、折りたたみ傘のカバーを、目に付き易い場所に、美しく目立つ形で飾りながら保持できるので、保持すること自体が楽しくなり、同時に傘カバーを見失うことも防止できる。
【発明を実施するための最良の形態】
【００１１】
袋の形状は一様な太さの筒状よりは、入り口付近がやや太目で折りたたんだ傘の太さに対して余裕があり、先端方向に次第に狭まる形状の方が使い易い。また、引き縮められた袋が多層に重なった花弁のように見えるためには、袋の太さが入り口から先端に向かって次第に狭まっていることが望ましい。
【００１２】
袋の材料は、一般に傘に使われる柔らかく滑りの良い撥水生地が望ましい。また、装飾用にレースやビーズを使用することもできる。
【００１３】
袋の色は必ずしも傘本体の色と同じにする必要はない。むしろ、赤やピンクなど、花飾りの色として選択すれば良い。また、黒や水玉模様など自然の花には見られない色や模様も、デザイン的観点からは選択可能である。
【００１４】
引き紐は、引き縮めた袋の形状が左右対称になるように、袋の前後の側面の対称な位置に１本づつ、合計２本設けること望ましい。ただし、２本に限られない。
【００１５】
引き紐の材料は袋と同じにするのが原則であるが、別材料でも良い。また、引き紐の末端は結び玉を作るか、ビーズに通すか、ストッパーと呼ばれるプラスチック製の部品に通すか、あるいはこれらを併用しても良い。
【００１６】
紐保持部は、連続する筒状の紐通し、又はズボンのベルト通しに似た不連続な紐押えであっても良い。前記筒状の紐通しは、袋に別の布を当てて作っても良いし、袋の布地の一部を筒状に折り返して作っても良い。
【実施例１】
【００１７】
図１（Ａ）及び（Ｂ）は、本発明の一実施例としての傘カバーを示す。図１（Ａ）は袋１の裏面を表に出した状態の正面図で、袋１の側面に筒状の紐保持部２が形成されており、紐保持部２の中に通された引き紐３の末端が袋１の閉じられた先端部に現れている。図１（Ｂ）は、同じ傘カバーの袋１の表面を表に出した状態を示し、折り畳んだ傘を収容する際は、図１（Ｂ）の状態で使用する。
【実施例２】
【００１８】
図２（Ａ）及び（Ｂ）は、本発明の他の実施例を示す。この実施例は、紐保持部２の構成が不連続な紐押えになっている点を除いて、図１（Ａ）及び（Ｂ）のものと同じである。
【実施例３】
【００１９】
図３（Ａ）〜（Ｄ）は、本発明のさらに他の実施例を示す図面代用写真である。図３の（Ａ）及び（Ｂ）は、図１の（Ａ）及び（Ｂ）に対応する写真で、それぞれ袋の裏面及び表面を表している。これらの写真における袋１の地模様は水玉模様で、開口部がレースで縁取りされている。
【００２０】
図３（Ｃ）は、袋１を裏返しにした状態で引き紐３を引き、袋１を半ば引き縮めた状態、図３（Ｄ）は、袋１をほぼ完全に引き縮めた状態を示す。
【００２１】
図４は、図３（Ｄ）の傘カバーの形をコサージュのように整えて、バッグの持ち手に結びつけた例を示す。
【００２２】
なお、本発明は折り畳み式洋傘の保護カバーに関するものであるが、折り畳み式でない普通の洋傘のカバーや、さらには洋傘ならぬ折り畳み式レインコートの収納ケースについても、本発明と同様な構成を採用することができる。
【産業上の利用可能性】
【００２３】
本発明は、洋傘製造業、製縫業一般、及び洋傘等の流通・販売業の発展に寄与する。
【図面の簡単な説明】
【００２４】
【図１】本発明の一実施例としての傘カバー袋の裏面及び表面を示す正面図である。
【図２】本発明の他の実施例としての傘カバー袋の裏面及び表面を示す正面図である。
【図３】本発明のさらに他の実施例における、各種の引き縮め状態を示す図面代用写真である。
【図４】図３に示す傘カバーを引き縮めてコサージュ状の飾りとし、例えばカバンに結びつけた場合を示す写真である。
【符号の説明】
【００２５】
１  袋
２  紐保持部
３  引き紐
【図１】
2006034401.tif 000003
【図２】
2006034401.tif 000004
【図３】
2006034401.tif 000005
【図４】
2006034401.tif 000006
(57)【要約】【課題】死腔負荷装置の技術においては、定量的な死腔量の設定が難しく、しかもデジタル的な容量設定が難しいために、負荷試験装置として使用しにくいという問題がある。【解決手段】装置本体内を死腔形成室と吸気取り入れ室とに隔離壁によって分離し、前記死腔形成室の一方には呼吸口を設け、他方には呼気弁を設け、前記吸気取り入れ室の任意個所に吸気弁を設け、前記隔離壁には所定間隔に弁を配置して死腔形成室と吸気取り入れ室とを連通できるようにし、その弁の位置を死腔量が定量的に変わるように配置したことを特徴とする。【選択図】        図１
2006034584.tif 000002
【特許請求の範囲】
【請求項１】
装置本体内を死腔形成室と吸気取り入れ室とに隔離壁によって分離し、前記死腔形成室の一方には呼吸口を設け、他方には呼気弁を設け、前記吸気取り入れ室の任意個所に吸気弁を設け、前記隔離壁には所定間隔に弁を配置して死腔形成室と吸気取り入れ室とを連通できるようにし、それらの弁の位置を死腔量が定量的に変わるように配置したことを特徴とする死腔負荷装置。
【発明の詳細な説明】
【技術分野】
【０００１】
本発明は、呼吸機能を検査するために用いることができる装置死腔の負荷装置に関する。
【背景技術】
【０００２】
医学的な検査には被検者に種々の負荷をかけて通常の検査ではわからない異常を検出する方法がある。
呼吸機能の負荷検査の方法として、運動負荷試験、高ＣＯ２ガス負荷試験、低Ｏ２負荷試験等が一般的であるが、その中に死腔負荷試験がある。
死腔とは、呼吸におけるガス交換に寄与しない空間であり、生体内には解剖学的死腔、生理学的死腔と呼ばれる部分があるが、さらに、検査時の測定装置によって生じる装置死腔がある。
【０００３】
この装置死腔を図３によって模擬的に説明する。図において、装置の通気道１０１に呼気と吸気を分離するための吸気弁１０２と呼気弁１０３が接続してある。その通気道１０１に接続する呼吸口１０４によって被検者が呼吸を行うと、通気道１０１の吸気弁１０２と呼気弁１０３との間の空間（斜線部分）には前回呼出した呼気が残っており、次の吸気の際には、まずその残留呼気を吸ってから新鮮な吸気を吸入することになる。この空間は換気には関与しない部分であるために死腔と呼ばれている。これが装置死腔である。
【０００４】
従来の装置死腔の負荷装置は、チューブを用い、その長さを調節することによって死腔量を決めている（例えば、特許文献１参照。）。
【特許文献１】特開平２００４−８９６９８号公報
【発明の開示】
【発明が解決しようとする課題】
【０００５】
しかしながら、上述した従来の技術においては、定量的な死腔量の設定が難しく、死腔負荷試験装置として使用しにくいという問題がある。
本発明は、上記の問題点を解決するためになされたもので、デジタル的に死腔量の設定を可能にした手段を提供することを目的とする。
【課題を解決するための手段】
【０００６】
そこで本発明は、開放回路式の死腔負荷装置として、装置本体内を死腔形成室と吸気取り入れ室とに隔離壁によって分離し、前記死腔形成室の一方には呼吸口を設け、他方には呼気弁を設け、前記吸気取り入れ室の任意個所に吸気弁を設け、前記隔離壁には所定間隔に弁を配置して死腔形成室と吸気取り入れ室とを連通できるようにし、その弁の位置を死腔量が定量的に変わるように配置したことを特徴とする。
【発明の効果】
【０００７】
これにより、本発明は、検査目的に応じて行う被検者の肺機能の測定に対して装置死腔量の値を定量的に変化させることができる効果が得られる。
【発明を実施するための最良の形態】
【０００８】
以下に、図面を参照して本発明の実施例を説明する。
図１、図２は本発明の実施例を示す説明図である。
図において、１は装置死腔装置本体であり、その内部を死腔形成室２と吸気取り入れ室３とに隔離壁４によって分離されている。
前記死腔形成室２の一方には呼吸口５が設けてあり、他方には呼気弁６が設けてある。この呼気弁６に呼吸代謝測定装置等の各種装置が接続される。
【０００９】
前記吸気取り入れ室３の任意個所に吸気弁７が設けてある。
前記隔離壁４には複数の弁８を所定間隔に配置して死腔形成室２と吸気取り入れ室３とが連通するようにしてあり、その弁８の位置は、図示する如く死腔量が例えば１００ｃｃと一定容量間隔となるように並べてあり、呼吸口５側から例えば２００ｃｃ、３００ｃｃと順次定量的に死腔量が付加するようになっている。
【００１０】
前記弁８は電磁弁のような任意に操作できる弁であればどのような弁でもよい。
上記の構成の作用を説明する。
被検者が呼吸口５から呼吸をすると、呼気は呼気弁６を介して接続されている装置に排出される。吸気は開放されている弁８の個所から吸気弁７を介して吸入される。
そこで、呼気弁６に接続されている装置による検査目的に応じて行う被検者の肺機能の測定に対して装置死腔量の値を変化させるために、連続する弁８の中の開放させる弁８の位置を例えば図１から図２に示すように変えることによって、呼吸口５側から例えば２００ｃｃ、３００ｃｃと定量的に装置死腔量を変えて肺機能の検査をすることができる。
【図面の簡単な説明】
【００１１】
【図１】実施例を示す説明図
【図２】装置死腔量の変化を示す説明図
【図３】装置死腔の説明図
【符号の説明】
【００１２】
１  装置死腔装置本体
２  死腔形成室
３  吸気取り入れ室
４  隔離壁
５  呼吸口
６  呼気弁
７  吸気弁
８  弁  
【図１】
2006034584.tif 000003
【図２】
2006034584.tif 000004
【図３】
2006034584.tif 000005
(57)【要約】【課題】  テレビやＡＶ機器からの配線が露出して外観を損なうことがなく、ＡＶ機器から発生する熱をＡＶ機器収納部外に排出させることができる、ＡＶ機器収納部を備えたテレビ台を提供すること。【解決手段】  前方が開口した収納箱２０内に取り付けられるテレビ台１であって、少なくとも天板２と地板３と両側板４、４と背板とを有して箱状に形成されるＡＶ機器収納部６と、天板２で形成されるテレビ載置部７とを備え、天板２の後方には切り欠き８が設けられ、また背板は両側板４、４間の幅より狭幅で形成されるとともに切り欠き８より前方に配設されてなるようにする。【選択図】図１
2006034594.tif 000002
【特許請求の範囲】
【請求項１】
前方が開口した収納箱内に取り付けられるテレビ台であって、少なくとも天板と地板と両側板と背板とを有して箱状に形成されるＡＶ機器収納部と、前記天板で形成されるテレビ載置部とを備え、
前記天板の後方には切り欠きが設けられ、また背板は両側板間の幅より狭幅で形成されるとともに前記切り欠きより前方に配設されてなることを特徴とするＡＶ機器収納部を備えたテレビ台。
【発明の詳細な説明】
【技術分野】
【０００１】
本発明は、ＡＶ機器を収納することができるＡＶ機器収納部を備えたテレビ台に関するものである。
【背景技術】
【０００２】
従来より、テレビ及びビデオ、ＤＶＤ、オーディオ装置等のＡＶ（オーディオビジュアル）機器を収納可能なＡＶ機器収納庫が知られている（特許文献１）。
【０００３】
このようなＡＶ機器収納庫においては、テレビ収納部と、ビデオ、ＤＶＤ、オーディオ装置等を収納するＡＶ機器収納部とを備えており、テレビ収納部においてテレビは板状のテレビ台に載置されるようになっている。
【特許文献１】特開平８−３１７８２３号公報
【発明の開示】
【発明が解決しようとする課題】
【０００４】
しかしながら、上記特許文献１におけるＡＶ機器収納庫においては、テレビ収納部のテレビ台にテレビを載置する際、ＡＶ機器収納部に収納されたビデオ等のＡＶ機器との配線が露出して外観上好ましくないことがあった。
【０００５】
また、ＡＶ機器収納庫内にＡＶ機器から発生する熱がこもることがあり、ＡＶ機器収納庫外に速やかに熱を排出させることが望まれていた。
【０００６】
本発明は、かかる事由に鑑みてなしたもので、その目的とするところは、テレビやＡＶ機器からの配線が露出して外観を損なうことがなく、ＡＶ機器から発生する熱をＡＶ機器収納部外に排出させることができる、ＡＶ機器収納部を備えたテレビ台を提供することにある。
【課題を解決するための手段】
【０００７】
上記課題を解決するために、本発明では、前方が開口した収納箱内に取り付けられるテレビ台であって、少なくとも天板と地板と両側板と背板とを有して箱状に形成されるＡＶ機器収納部と、前記天板で形成されるテレビ載置部とを備え、前記天板の後方には切り欠きが設けられ、また背板は両側板間の幅より狭幅で形成されるとともに前記切り欠きより前方に配設されてなるようにする。
【発明の効果】
【０００８】
上記本発明のＡＶ機器収納部を備えたテレビ台においては、ＡＶ機器をＡＶ機器収納部内に収納することができるとともに、これらのＡＶ機器とテレビ載置部に載置したテレビとの配線を、外観を損ねることなくすっきりと行うことができる。
【０００９】
また、ＡＶ機器収納部内に収納されるＡＶ機器から発生する熱を、ＡＶ機器収納部の天板に設けられた切り欠きから外部に排出することができる。
【発明を実施するための最良の形態】
【００１０】
本発明の実施形態におけるテレビ台１について、図１及び図２に基づいて説明する。本実施形態におけるテレビ台１は、前方が開口した収納箱２０内に取り付けられるものであって、少なくとも天板２と地板３と両側板４、４と背板５とを有して箱状に形成されるＡＶ機器収納部6と、天板２で形成されるテレビ載置部７とを備えている。
【００１１】
ＡＶ機器収納部6の前面には、取っ手１０を備えた前板９が設けられている。前板９は下端が軸支された状態で上下に開閉できるようになっている。
【００１２】
天板２の後方には切り欠き８が設けられ、背板５は両側板４、４間の幅より狭幅で形成されるとともに切り欠き８より前方に配設されている。したがって、背板５と側板４との間に背部開口１８が形成される。
【００１３】
また、地板３及び両側板４、４の後端部についても切り欠き８より前方になるように設けられている。
【００１４】
ＡＶ機器収納部６内にはＡＶ機器（図示せず）が収納され、その配線はＡＶ機器収納部６の後部において、背部開口１８から切り欠き８を通ってテレビ載置部７上に載置されるテレビ（図示せず）に接続されるようになっている。
【００１５】
ここで、テレビの電源線やアンテナ線等については、例えば、切り欠き８を通してテレビ台１の下方に誘導し、収納箱２０の後方の壁面等に設けられたコンセントやアンテナ差込口に接続することができる。
【００１６】
さらに、本実施形態におけるテレビ台１においては、ＡＶ機器収納部６内に収納されるＡＶ機器から発生する熱を、ＡＶ機器収納部６の背部開口１８を介して天板２に設けられた切り欠き８から外部に排出することができる。
【００１７】
すなわち、切り欠き８は、テレビやＡＶ機器の配線を通すことができるとともに、ＡＶ機器からの熱を外部へ排出するための排出口としての機能を有するのである。
【００１８】
また、本実施形態におけるテレビ台１は、収納箱２０の上下方向に選択的に取り付け可能な棚２１の上に載置するようになっており、使用者の要望に応じて棚２１の取り付け高さを変更することにより、テレビの設置高さを調整することができる。
【００１９】
また、複数のＡＶ機器を収納する場合には、ＡＶ機器収納部６内に棚板を設けてもよいし、あるいは、本実施形態におけるテレビ台１を上下に複数積み重ねてもよい。テレビ台１を上下に複数積み重ねた場合においても、地板３及び両側板４、４の後端部が切り欠き８より前方になるように設けられているので、下段のテレビ台１の切り欠き８から導出された配線を、上段のテレビ台１の後部及び切り欠き８を経由して、上段のテレビ台１に載置されたテレビに接続することができる。
【００２０】
以上のように、本実施形態におけるテレビ台１は、ＡＶ機器をＡＶ機器収納部６内に収納することができるとともに、ＡＶ機器とテレビ載置部７に載置したテレビとの配線を、外観を損ねることなくすっきりと行うことができる。
【００２１】
また、ＡＶ機器収納部６内に収納されるＡＶ機器から発生する熱を、ＡＶ機器収納部６の天板２に設けられた切り欠き８から外部に排出することができる。
【図面の簡単な説明】
【００２２】
【図１】本発明の実施形態におけるテレビ台１の斜視図である。
【図２】同実施形態におけるテレビ台１の（ａ）上面図、（ｂ）正面図、（ｃ）側面図である。
【符号の説明】
【００２３】
１  テレビ台
２  天板
３  地板
４  側板
５  背板
６  ＡＶ機器収納部
７  テレビ載置部
８  切り欠き
【図１】
2006034594.tif 000003
【図２】
2006034594.tif 000004
(57)【要約】      （修正有）【課題】独創的なデザインを有する、新しいジャンルの携帯電話を提供する。【解決手段】第１の筐体１１と第２の筐体１４とを結合する結合部１０に腕１８、頭１９、足２０、手２１を備え、頭部の目にあたる部分に、着信ランプ１５が内蔵される携帯電話１において、フィギュア型（人型、動物型）の形状をしていることを特徴とする。【選択図】図１
2006262426.tif 000002
【特許請求の範囲】
【請求項１】
携帯電話そのものの筐体であり、携帯電話に頭、手、腕、足部を備えたフィギュア型（人型、動物型）の形状をしていることを特徴とするフィギュア型携帯電話。
【請求項２】
前記フィギュア型の筐体は、頭、腕、足などの関節部が自由に可動させることができることを特徴とする請求項１記載のフィギュア型携帯電話。
【請求項３】
前記フィギュア型の筐体の頭部の目にあたる部分が、着信時などに発光するランプを備えることを特徴とする請求項２記載のフィギュア型携帯電話。
【請求項４】
前記フィギュア型の筐体は、世の中のキャラクター、アニメのキャラクター等のデザインを流用することが出来ることを特徴とする請求項３記載のフィギュア型携帯電話。
【発明の詳細な説明】
【技術分野】
【０００１】  本発明は、携帯電話、特に携帯電話の外観形状に関する。
【背景技術】
【０００２】  近年、ＰＨＳ等の無線通信端末（以下、携帯電話及びＰＨＳ電話など全ての電話を含めて、携帯可能な電話と言う意味で、携帯電話と称呼する。）においては、携帯時の利便性を向上させるため筐体の小型化、軽量化が進められている。【０００３】
【特許文献１】特開２００３−３０４３１２号公報
【発明の開示】
【発明が解決しようとする課題】
【０００４】  上述の如く、従来の携帯電話にあっては、筐体の小型化、軽量化を実現するため、筐体のデザインに制約を受け画一的で独創性に欠けるデザインのものが多かった。したがって多様なデザインの中からユーザ個人の好みに応じて携帯電話を選択することができなかった。【０００５】  本発明の目的は、このような独創的なデザインを有する、新しいジャンルの携帯電話を提供することにある。
【課題を解決するための手段】
【０００６】  上述の目的を達成する本発明のフィギュア型携帯電話は、携帯電話そのものの筐体であって、携帯電話に頭、手、腕、足部を備えフィギュア型（人型、動物型）の形状をしていることを特徴とする。【０００７】  前記フィギュア型の筐体は、頭、手、腕、足部などの関節部が自由に可動させる事ができ、頭部の目にあたる部分が着信時などに発光するランプを備える。
【発明の効果】
【０００８】  以上説明したように本発明によれば、既存の携帯電話にはない独創的なデザインを付与することができる、これにより携帯電話の独自性、希少性を特化させてユーザの満足度を向上させることができる。また、携帯電話をフィギュアとして活用することもでき、携帯電話としての使用にとどまらず、卓上のインテリアとしても楽しむことができる。このフィギュア型携帯電話を提供することで、ユーザ個人の楽しみと選択肢を広げることに極めて有効である。
【発明を実施するための最良の形態】
【０００９】  以下、本発明の実施の形態を図面に基づき詳細に説明する。【００１０】  図１〜図３は、本発明の第１の実施の形態に係り、図１は、その閉状態の外観正面図、図２は、その側面図、図３は、その背面図、図４は、図１の開状態の正面図、図５は、図２の開状態の側面図、図６は、フィギュアとしての可動状態の例である。【００１１】  図１、図２、図５に示すように、本フィギュア型携帯電話１は、第１の筐体１１、及び第２の筐体１４が、結合部１０により開閉可能に連結され可動する頭１９腕１８手２１足部２０を備えた外観で形成される携帯電話である。【００１２】  図４に示すように、第１の筐体１１には、スピーカ１３、及び入力操作を表示する表示部１２を備え、表示部１２は、液晶画面である。【００１３】  図４、図５に示すように、第２の筐体１４には、入力部１６、マイク１７等を備え内部には、アンテナを設ける、このアンテナにより無線信号の送受信を行う。【００１４】  第２の筐体１４の外面には、可動可能な頭１９、腕１８、手２１、足部２０を備え上記アンテナの無線信号により頭１９に付く着信ランプ１５が点灯、点滅等により着信報知動作を行う。【００１５】  図３に示す第２の筐体１４の背面には、バッテリー２２が付き、このバッテリーは充電式の電池パックである。【００１６】  図６に示す可動状態の例にある頭部、関節可動箇所２３は、正面を中心に左右９０°回転し腕、手、関節可動箇所２６は３６０°回転する。
また肩、足の付け根、関節可動箇所２４は、内部にバネ等の反発素材を備えた機構を持ち肩部は、３６０°回転し、足の付け根は、１８０°回転する。
さらに、肩、肘、膝、関節可動箇所２５は、ネジ止めし、９０°回転する。【００１７】  図４に示す第１の筐体１１に備える表示部１２、スピーカ１３は、必ずしも第１の筐体１１に付くものではなく、キャラクター等の形状やサイズの変更により、第２の筐体１４に、表示部１２、スピーカ１３等全てを備えることも可能である。【００１８】  このフィギュア型携帯電話１の形態は、図１に限るものではなく、世の中のキャラクター、アニメ等のキャラクターを模した形状にすることも可能である。
【図面の簡単な説明】
【００１９】
【図１】  本発明の第１の実施の形態に係るフィギュア型携帯電話の外観閉状態の正面図である。
【図２】  図１のフィギュア型携帯電話の側面図である。
【図３】  図１のフィギュア型携帯電話の背面図である。
【図４】  図１のフィギュア型携帯電話の開状態の正面図である。
【図５】  図１のフィギュア型携帯電話の開状態の側面図である。
【図６】  本フィギュア型携帯電話の可動状態の外観斜視図である。
【符号の説明】
【００２０】  １          携帯電話（フィギュア型）
１０        結合部
１１        第１の筐体
１２        表示部
１３        スピーカ
１４        第２の筐体
１５        着信ランプ
１６        入力部
１７        マイク
１８        腕
１９        頭
２０        足
２１        手
２２        バッテリー部
２３        頭、関節可動箇所
２４        肩、足付け根、関節可動箇所
２５        肩、肘、膝、関節可動箇所
２６        腕、手、関節可動箇所
【図１】
2006262426.tif 000003
【図２】
2006262426.tif 000004
【図３】
2006262426.tif 000005
【図４】
2006262426.tif 000006
【図５】
2006262426.tif 000007
【図６】
2006262426.tif 000008
(57)【要約】【課題】  モータ組立における相間絶縁紙の破れ、または水分量の多い雰囲気中にてコイルエンド部の巻線間に生じる電位差を確実に絶縁するステータの相間絶縁紙を提供する。【解決手段】  ステータコア１とこのステータコア１の端面上に施されたコイルエンド部の第１の巻線２と、この第１の巻線２の同軸上で、第１の巻線２とは異なる位相の第２巻線と、これら第１の巻線２と第２の巻線との間に介在される相間絶縁紙３の断面形状がＶ字に形成または、２枚に重ねられた事を特徴とするステータの絶縁方法を提供する。【選択図】  図１
2006262629.tif 000002
【特許請求の範囲】
【請求項１】
ステータコアとこのステータコアの端面上に施されたコイルエンド部の第１の巻線と、この第１の巻線の同軸上で、第１の巻線とは異なる位相の第２巻線と、これら第１の巻線と第２の巻線との間に介在される相間絶縁紙の断面形状がＶ字に形成された事を特徴とするステータの絶縁方法。
【請求項２】
請求項１に記載のステータの相間絶縁紙において、相関絶縁紙の断面形状をＶ字状から内径側にＵ字状に置換された事を特徴とするステータの絶縁方法。
【請求項３】
ステータコアとこのステータコアの端面状に施されたコイルエンド部の第１の巻線と、この第１の巻線の同軸上で、第１の巻線とは異なる位相の第２巻線と、これら第１の巻線と第２の巻線との間に介在される相間絶縁紙が２重であることを特徴とするステータの絶縁方法。
【請求項４】
請求項３に記載のステータの相間絶縁紙において、ステータコアの内径側にＵ字状に形成された事を特徴とするステータの絶縁方法。
【発明の詳細な説明】
【技術分野】
【０００１】
本発明は、家庭用エアコンや自動車用カーエアコンなどに搭載されるコンプレッサ用ブラシレスモータコイルエンド部の相間絶縁紙等に関する。
【背景技術】
【０００２】
近年、地球環境改善のため省エネルギー化の取り組みが盛んに行われ、自動車においても燃費向上や排ガス削減などから自動車用コンプレッサも電動化が検討され、コンプレッサの中にモータが組み込まれ、モータの仕様環境において水分量が多く電位差の生じる巻線間に加水分解の起こす相間絶縁紙が使えないという問題があった。
【０００３】
またブラシレスモータ製造のレーシング工程においてレーシング針でコイルエンド部の相間絶縁紙を破ってしまう場合がある。
【０００４】
車両搭載用コンプレッサの場合、家庭用エアコン用コンプレッサに比べ水分量が非常に多い。
【０００５】
冷凍機油としてポリアルキレングリコール系あるいはエステル系が使用されるモータのステータにおいて、大きな電位差の生じる巻線の絶縁紙として耐加水分解性の優れた材料が必要である。（例えば、特許文献１参照）
【特許文献１】特開平３−２３５６３６号公報
【発明の開示】
【発明が解決しようとする課題】
【０００６】
解決しようとする問題点は、レーシング工程における相間絶縁紙の破れ、または水分量の多い雰囲気中にてコイルエンド部の巻線間に生じる電位差を絶縁できない点である。
【課題を解決するための手段】
【０００７】
本発明は、ステータコアとこのステータコアの端面上に施されたコイルエンド部の第１の巻線と、この第１の巻線の同軸上であって、第１の巻線とは異なる位相の第２巻線と、これら第１の巻線と第２の巻線との間に介在される相間絶縁紙の断面形状がＶ字に形成された事を特徴としている。
【０００８】
これにより破れの発生しやすいコイルエンド端面付近の相間絶縁紙を２重にする事で強度が増し破れを低減できる。
【０００９】
なお、相間絶縁紙をステータコアの内側に向けてＵ字状に形成する事でレーシング工程において、レーシング針と接触した際に摩擦抵抗を減らす事ができ、より相間絶縁紙の破れを低減でき、信頼性の高いモータを提供できる。
【００１０】
また相間絶縁紙を２枚に重ねて巻線間に挿入する事１枚毎に柔軟性を持たせ破れに対しては安全性が増し、信頼性の高いモータを提供できる。
【００１１】
また２枚に重ねた相間絶縁紙をステータコアの内側に向けてＵ字状に形成する事でレーシング工程において、レーシング針の摩擦を減らす事ができ、より相間絶縁紙の破れを低減でき、信頼性の高いモータを提供できる。
【発明の効果】
【００１２】
請求項１から請求項４の発明によれば、モータ組立のレーシング工程においてコイルエンド部の破れを低減し、モータの信頼性を向上させることができる。
【発明を実施するための最良の形態】
【００１３】
モータ組立においてコイルエンド部の相間絶縁紙の破れ低減、及び水分量が多い仕様環境でも信頼性の高いモータを実現した。
【００１４】
以下、本発明の実施例を、図面を参照しながら説明する。
【実施例１】
【００１５】
図１は本発明の一実施例におけるステータの部分斜視図である。ステータコア１に巻線２のコイルエンド部に相間絶縁紙３を挿入した状態で電位差の生じる異相間の絶縁を確保できる。相間絶縁紙の材質はＰＥＮフィルムの厚さ０．０７５ｍｍまたは０．０５ｍｍを用いる。相間絶縁紙をＶ字にする事によりモータ組立のレーシング工程において強度を増すためのものである。図２のようにレーシング針５の通過する近傍に相間絶縁紙が挿入される場合がある。そしてこのレーシング針がコイルエンド部を通過する際に相間絶縁紙と接触した場合、相間紙の破れが発生する場合がある。この時相間絶縁紙の強度を上げるためステータコア方向にＶ字方向を挿入することで相間紙の強度が増して品質の確保が可能である。
【実施例２】
【００１６】
図４は本発明の一実施例におけるステータの部分斜視である。ステータコア１に巻線２のコイルエンド部に相間絶縁紙６を挿入した状態で電位差の生じる異相間の絶縁を確保できる。相間絶縁紙の材質はＰＥＮフィルムの厚さ０．０７５ｍｍまたは０．０５ｍｍを用いる。相間紙を２枚に重ねる事によりモータ組立のレーシング工程において摩擦を低減させるためのものである。図２のようにレーシング針５の通過する近傍に相間絶縁紙が挿入される場合がある。そしてこのレーシング針がコイルエンド部を通過する際に相間絶縁紙と接触した場合、相間紙の破れが発生する場合がある。この時相間絶縁紙が２枚ある場合は１枚が破れてももう１枚が残り品質の確保が可能である。
【産業上の利用可能性】
【００１７】
本発明は、モータの相間絶縁紙等として有用である。
【図面の簡単な説明】
【００１８】
【図１】本発明の実施例１を示すステータの部分斜視図
【図２】本発明の実施例１を示すステータの側面図
【図３】図１のＶ字相間絶縁紙の斜視図
【図４】本発明の実施例２を示すステータの部分斜視図
【図５】本発明の実施例２を示すステータの側面図
【図６】図４の相間絶縁紙の斜視図
【符号の説明】
【００１９】
１  ステータコア
２  巻線
３  相間絶縁紙
４  レーシング針
５  レーシング糸
６  相間絶縁紙
【図１】
2006262629.tif 000003
【図２】
2006262629.tif 000004
【図３】
2006262629.tif 000005
【図４】
2006262629.tif 000006
【図５】
2006262629.tif 000007
【図６】
2006262629.tif 000008
(57)【要約】【課題】  水槽やバケツ等のため水を、自動的に少量ずつ給水し排水し、水浄化しながら、人手をかけることなく、水耕栽培が楽しめる水耕栽培箱を提供する。  さらに、構造簡単で、安価に製作できる水耕栽培箱を提供する。【解決手段】  箱１０内に埋設した吸水透水物質５０と、細パイプ２１のサイホン作用による給水装置２０と、エアポンプ３０の送り出し空気による排水装置４０とを備え、箱１０内を水循環と水浄化による水耕栽培ができるようにしたものである。【選択図】        図１
2006262762.tif 000002
【特許請求の範囲】
【請求項１】
箱１０内に埋設した吸水透水物質５０と、細パイプ２１のサイホン作用による給水装置２０とエアポンプ３０の送り出し空気による排水装置４０とを備え、箱１０内を水循環による水耕栽培ができるようにしたことを特徴とする水耕栽培箱。
【請求項２】
箱１０内に水生生物６０を共生させるようにして水浄化ができるようにしたことを特徴とする請求項１記載の水耕栽培箱。
【発明の詳細な説明】
【技術分野】
【０００１】
本発明は、セリ、ミツバなどの水耕栽培が楽しめるようにした水耕栽培箱に関する。
【背景技術】
【０００２】
従来の水耕栽培は、大規模のものが多く、また、水耕用の給水装置、排水、水循環装置、水濾過装置等が複雑高価で人手がかかるものが多く、手軽に庭先や室内で水耕栽培ができなかった。
そこで、本発明者は、小箱に自然に小量ずつ給水できるサイホン式の給水装置と、魚類水槽で使用される振動式等の簡易なエアポンプを利用した小量づつ排水できる排水装置を利用して、砂土等の吸水透水物質により水循環させながら、また、タニシ貝、糸ミミズ等の水浄化生物を利用して水浄化することにより、人手をかけることなく、無人で、水槽内を、水循環させながら、かつ、水浄化しながら水耕栽培することに成功し、本発明を完成した。
【特許文献１】実用新案登録第３１０３２４１号公報
【発明の開示】
【発明が解決しようとする課題】
【０００３】
本発明は、庭先や室内で手軽に水耕栽培ができるようにした水耕栽培箱を提供するものである。
また、本発明は、水槽やバケツ等のため水を、自動的に少量ずつ給水し排水し、水浄化しながら、人手をかけることなく、水耕栽培が楽しめる水耕栽培箱を提供することにある。
さらに、本発明は、構造簡単で、安価に製作できる水耕栽培箱を提供するものである。
【課題を解決するための手段】
【０００４】
本発明水耕栽培箱は、上記課題を達成するため、図示するように、箱１０内に埋設した吸水透水物質５０と、細パイプ２１のサイホン作用による給水装置２０と、エアポンプ３０の送り出し空気による排水装置４０とを備え、箱１０内を水循環による水耕栽培ができるようにしたものである。
また、本発明水耕栽培箱は、上記課題を達成するため、図示するように、上記発明において、箱１０内に水生生物６０を共生させるようにして自然に水浄化ができるようにしたものである。
【発明の効果】
【０００５】
本発明は、小箱で自動的に小量ずつ給水、排水及び水循環しながら水耕栽培ができ、また、水生生物による水浄化も自然にできるので、何らの労力も必要とせず、さらに、溜水利用も水道の小量の落滴や雨水等を利用して無人管理できる。
【発明を実施するための最良の形態】
【０００６】
本発明は、市販のプランター等の小箱と極細パイプと金魚用エアポンプとタニシ貝、糸ミミズ等の水生生物を備えたものである。
【実施例】
【０００７】
本発明の水耕栽培箱の実施例が図１乃至図３に示されている。
本発明実施例の水耕栽培箱は、小箱１０、サイホン用細パイプ２１からなる給水装置２０、空気送りパイプ３１を備えたエアポンプ３０、排水パイプ４１を備えた排水装置４０、吸水透水物質５０及び水浄化用の共生生物６０を備えている。
小箱１０は、ガラス製箱、合成樹脂製箱等水密であればいかなる箱でもよい。
給水装置２０は、サイホン作用を行うため、内径２〜３ミリメートル程度の合成樹脂製細パイプ２１を備えている。また、パイプ２１は、太パイプでも内管内に脱脂綿、繊維質物質などを充填したものでもよい。
エアポンプ３０は、観賞魚用のバイブレーション式のもので充分である。
排水装置４０は、屈曲自在の軟質合成樹脂パイプ４１の中間に同じパイプを分岐したもので、分岐は融着、接着等で容易に製作できるほか三方継手を利用して分岐させてもよい。
吸水透水物質５０は、通常の土砂、ロックウール、合成樹脂スポンジブロックなどが使用できる。
水浄化用共生生物６０は、タニシ貝、糸ミミズ等である。
従って、本発明の水耕栽培箱は、水耕栽培に適した、セリ、ミツバ等が簡単に、自動的に栽培でき、楽しむことができる。
【産業上の利用可能性】
【０００８】
本発明水耕栽培箱は、容易に量産でき、また、安価に製作できる。
【図面の簡単な説明】
【０００９】
【図１】本発明の実施例の全体説明図である。
【図２】給水装置の一例を示す説明図である。
【図３】排水装置の一例を示す説明図である。
【符号の説明】
【００１０】
１０    箱
２０    給水装置
２１    細パイプ
３０    エアポンプ
４０    排水装置
５０    吸水透水物質
６０    水生生物
【図１】
2006262762.tif 000003
【図２】
2006262762.tif 000004
【図３】
2006262762.tif 000005
(57)【要約】【課題】  シートの皮革製トリムカバーにおいて、所定の強度を有すると共に感触が良く折れ皺が発生しないようにすることである。【手段】  皮革１及びこの皮革１の裏面に全面接着した発泡体製上部ワディング２とからなる外層部Ａと、下部ワディング３からなる内層部Ｂとからなり、内層部Ｂの周縁を外層部Ａに接着又は縫着により結合したことを特徴とする。【選択図】            図２
2006262959.tif 000002
【特許請求の範囲】
【請求項１】
所定形状に裁断した皮革及びこの皮革の裏面全体に渉って接着した発泡体製上部ワディングとからなる外層部と、この表層部に積層し表層部の周縁に接着又は縫着した下部ワディングからなる内層部と
から構成するシートのトリムカバー・
【請求項２】
前記上部ワディングと下部ワディングとの間に、上部ワディングカバーを介在させてなる請求項１記載のシートのトリムカバー。
【請求項３】
前記下部ワディングの外面に、下部ワディングカバーを設けてなる請求項１記載のシートのトリムカバー。
【発明の詳細な説明】
【技術分野】
【０００１】
本発明は自動車などの車両用シート（座席）の外表面を構成する天然皮革製トリムカバーに関する。
【背景技術】
【０００２】
皮革を使用したトリムカバーは感触を向上させるために、その裏面全体にウレタンフォームのスラブ材などからなるワディングを接着している（例えば、特許文献１、２）。
【０００３】
【特許文献１】特開平８ー３０９０４８号公報
【特許文献２】特開平６ー４７８５３号公報
【発明の開示】
【発明が解決しようとする課題】
【０００４】
以上のように、皮革にワディングを全面接着すると、トリムカバーの強度は一定に保持される。そして、ワディングが薄いため、トリムカバーは接着により硬化することがないが、ワディングの厚さが薄いため、感触感が悪い不具合がある。
【０００５】
斯る不具合を除去するために、厚いワディングを皮革の全面接着すると、トリムカバー全体が硬くなり、折れ皺が発生する。
【０００６】
また、厚いワディングを使用し、そのワディングの周縁部のみを接着剤で皮革に接着すると、ワディングの厚みが厚いため、感触感が良く、接着による硬化はないが、前記ワディングの全面を接着したものに比べ、トリムカバーの強度が劣る不具合がある。
【０００７】
そこで、本発明は皮革製トリムカバーにおいて、強度が保持され、しかも、感触感が良いトリムカバーを提供することを目的とする。
【課題を解決するための手段】
【０００８】
以上の目的を達成するための本発明に係るシートのトリムカバーは、所定形状に裁断した皮革及びこの皮革の裏面全体に渉って接着した発泡体製上部ワディングとからなる外層部と、この表層部に積層し表層部の周縁に接着又は縫着した下部ワディングからなる内層部とする。
【０００９】
また、前記上部ワディングと下部ワディングとの間に、上部ワディングカバーを介在させることにより、上、下部ワディングの摩耗を防止できる。
【００１０】
更に、前記下部ワディングの外面に、下部ワディングカバーを設けることにより、トリムカバーを被せるシートのクッション体に対する接触による下部ワディングの摩耗を防止できる。
【発明の効果】
【００１１】
本請求項１の発明によれば、二枚のワディングを使用しているため、各ワディングの厚みを薄くすることができ、外層部の上部ワディングが皮革に全面接着されている。従って、薄いワディングのため折れ皺が発生することがないし強度を保持できる。
【００１２】
また、下部ワディングからなる内層部の周縁が外層部に接着又は縫着されているため、硬化することがないし、また、上部ワディングと下部ワディングとによって厚いワディングを使用した場合と同様の感触感が得られる。しかも、このトリムカバーに、同一構造の他のトリムカバーを接ぎ合わせるための縫製の作業性も損なわれない。
【００１３】
本請求項２の発明によれば、上、下部ワディングの接触による摩耗を防止できることは勿論、上部ワディングカバーがトリムカバーの補強材となし得る。
【００１４】
本請求項３の発明によれば、下部ワディングカバーが下部ワディングの保護とトリムカバーの補強材とになる。
【発明を実施するための最良の形態】
【００１５】
以下、本発明に係る皮革製トリムカバーの一実施例を図面に基づいて説明する。
図１は外層部Ａを内層部Ｂに接着又は縫着する前の状態を示し、外層部Ａは天然皮革（牛、馬革）を所定の形状に裁断した皮革１と、この皮革１の裏面全体に渉って接着剤６で全面接着した発泡体製上部ワディング２とから構成されている。
【００１６】
上部ワディング２は従来この種のトリムカバーのワディングとして利用されているシート状のウレタンフォームのスラブ材であるが、従来の厚いワディングに対して略半分の厚さ（例えば、５ミリ）に形成されている。
【００１７】
そして、図示するものは接着した上部ワディング２の外面に一体にワディングカバー５が設けてある。
【００１８】
一方、内層部Ｂは前記上部ワディング２と同一の材質、厚さ等からなる下部ワディング３から構成されている。
そして、この下部ワディング３の外面には、下部ワディングカバー４が一体に設けてある。
【００１９】
この下部ワディングカバー４と前記上部ワディングカバー５は、いずれも、ナイロンハーフや不織布で、接着剤またはフレームラミネート法によって、上部ワディング２、下部ワディング３に固着されている。
【００２０】
なお、上部ワディングカバー５は、上部ワディング２に固着せずに下部ワディング３側に固着してもよい。
【００２１】
以上のように、上、下部ワディングカバー４、５を設けることにより、上、下部ワディング２、３間及び下部ワディング３とトリムカバーを被せる発泡体製クッション体との摩耗による摩耗を防止できるし。また、上、下部ワディングカバー４、５はトリムカバーの補強材となり得る。
【００２２】
図２は外層部Ａと内層部Ｂとを接着又は縫着してトリムカバーを形成した状態を示す。  内層部Ｂは図１に示すように、周縁に接着剤７を塗布して外層部Ａを接着しても良いし、内層部Ｂと外層部Ａを重ね合わせて両周縁を縫着によって一体に連結しても良い。
【００２３】
従って、外層部Ａと内層部Ｂとは周縁を除く部分が一体化されていないため、トリムカバーの感触が良好となる。
また、周縁は一体に接着又は縫着されて結合されているため、他の所定形状に裁断した同一構造のトリムカバーなどを接ぎ合わせる際に、その縫製の作業性が良いし、この接ぎ合わせた部分は、自動車用などのシートの輪郭など配設されるため、感触が損なわれることがない。
【産業上の利用分野】
【００２４】
本発明に係る皮革製トリムカバーは車両のシートの他にアームレスト、ヘッドレストなどのトリムカバーに利用できる。
【図面の簡単な説明】
【００２５】
【図１】本発明に係る皮革製トリムカバーの分解断面図である。
【図２】本発明に係る皮革製トリムカバーの断面図である。
【符号の説明】
【００２６】
１…皮革、２…上部ワディング、３…下部ワディング、４…下部ワディングカバー、５…上部ワディングカバー、Ａ…外層部、Ｂ…内層部。
【図１】
2006262959.tif 000003
【図２】
2006262959.tif 000004
(57)【要約】【課題】  本発明は、鳥の飛来箇所に設けられた電極部材に電圧を印加し、電極部材に止まった鳥に電気ショックを与えて鳥を撃退させる鳥害防止装置において、耐候性や耐食性、導電性に優れた電極部材を使用することにより、屋外で長期間使用しても、安定した電気ショックを与えることができる鳥害防止装置用電極部材を提供することを目的とする。【解決手段】  鳥の飛来箇所に設けられた一対の電極部材に電圧を印加し、電極部材に止まった鳥に電気ショックを与えて鳥を撃退させる鳥害防止装置において、前記電極部材の露出している少なくとも一部が、体積抵抗率が０．０００５〜０．００５Ω・ｃｍの範囲の非金属材料で構成されていることを特徴とする鳥害防止装置用電極部材。【選択図】  なし【特許請求の範囲】
【請求項１】
鳥の飛来箇所に設けられた一対の電極部材に電圧を印加し、電極部材に止まった鳥に電気ショックを与えて鳥を撃退させる鳥害防止装置において、
前記電極部材が、体積抵抗率が０．０００５〜０．００５Ω・ｃｍの範囲の非金属材料で構成されていることを特徴とする鳥害防止装置。
【請求項２】
前記電極部材が、膨張黒鉛シートであることを特徴とする請求項１記載の鳥害防止装置。
【発明の詳細な説明】
【技術分野】
【０００１】
本発明は、例えば送電線鉄塔などの構造材に取り付けられる鳥害防止装置に関する。
【背景技術】
【０００２】
従来、この種の鳥害防止装置としては、例えば特許文献１に記載の装置のように、所定長さの留まり木状に形成された電極部材を鉄塔の横構造材（Ｌ型アングル材）に沿うように取り付けたものが知られている。即ち、前記電極部材は、絶縁体からなる支持棒部材に所定のピッチで一対の導電線がスパイラル状に巻き付けられたものであり、一方の導電線が電圧印加手段に接続されると共に、他方の導電線が鉄塔の横構造材にアース接続された構成になっている。そして、飛来した鳥（カラス、ハト等）が前記電極部材に留まって前記両導電線に同時に接触した際には、当該鳥の体内に低電圧の電流が流れるようにして忌避反応を起こさせ、かかる忌避反応を起こさせることで鳥を撃退すると共に、その際の学習効果で二度と近付かせないようにして営巣防止を図るようにしていた。
【０００３】
また、特許文献２および３には、平行に設けた２つの導電部材を電極として、その間に鳥が接触すると電気ショックを与える鳥害防止装置が開示されている。
【特許文献１】特開２０００−１０２１５１公報
【特許文献２】特開２００４−３０４９８１公報
【特許文献３】特開２００４−２９８１４９公報
【発明の開示】
【発明が解決しようとする課題】
【０００４】
これらの従来技術において、鳥害防止装置の電極を構成する導電線、導電部材を、ステンレス、銅、アルミなどの金属系材料で形成すると、長期間、屋外に曝された場合、導電線が腐食して導電線表面の電気抵抗が増加し、鳥を撃退するほどの電気ショックが発現しなくなるという問題があった。
【０００５】
また、耐食性が良く、長期間、屋外に曝された場合でも安定した導電性が得られる導電性樹脂シートを電極部材に使用したものがあるが、導電性が不足し、鳥を撃退するほどの電気ショックが発現しにくいという問題があった。
【０００６】
本発明の目的は、鳥の飛来箇所に設けられた電極部材に電圧を印加し、電極部材に止まった鳥に電気ショックを与えて鳥を撃退させる鳥害防止装置において、耐候性や耐食性、導電性に優れた電極部材を使用することにより、屋外で長期間使用しても、安定した電気ショックを与えることができる鳥害防止装置用電極部材を提供することにある。
【課題を解決するための手段】
【０００７】
本発明は上述の問題点を解消できる鳥害防止装置用電極部材を提供する。即ち、本発明は、鳥の飛来箇所に設けられた一対の電極部材に電圧を印加し、電極部材に止まった鳥に電気ショックを与えて鳥を撃退させる鳥害防止装置において、前記電極部材が、体積抵抗率が０．０００５〜０．００５Ω・ｃｍの範囲の非金属材料であることを特徴とする。この電極部材は、好ましくは膨張黒鉛シートである。
【発明の効果】
【０００８】
本発明によれば、鳥に電気ショックを与えて鳥を撃退させる鳥害防止装置において、耐候性や耐食性、導電性に優れた電極部材を使用することにより、屋外で長期間使用しても、安定した電気ショックを与えることができる鳥害防止装置が提供される。
【発明を実施するための最良の形態】
【０００９】
以下、本発明を詳しく説明する。
【００１０】
本発明の鳥害防止装置では、一対の電極部材が、耐食性に優れる非金属材料で構成される。その体積抵抗率は０．０００５〜０．００５Ω・ｃｍ、好ましくは０．００１〜０．００５の範囲である。体積抵抗率を０．００５Ω・ｃｍ未満にするには、金属系以外の材料では実際上限度があり、また、体積抵抗率が０．００５Ω・ｃｍを越えると、電極部材の長さを長くした場合（例えば、１００ｃｍ）に、電極部材の抵抗が大きくなり、電極部材に止まった鳥に充分な電気ショックを与えることができないという問題が発生し易い。
【００１１】
このような低抵抗であり、耐食性のある材料としては、炭素系材料が好ましい。加工性および耐久性の点から、特に膨張黒鉛シートが好ましい。ここで言う膨張黒鉛シートとは、天然産鱗状黒鉛、キッシュ黒鉛、熱分解黒鉛等の高度に結晶構造の発達した黒鉛を、濃硫酸と硝酸との混液、濃硫酸と過マンガン酸カリウムとの混液などの強酸化性の処理液で酸処理して黒鉛層間化合物を生成させ、次にこれを水洗いしてから急速加熱して、黒鉛結晶のＣ軸方向に膨張処理した虫状形で圧縮復元性を有する膨張黒鉛粒子を得、更にこれを冷間加工により、シート化したものである。
【００１２】
膨張黒鉛シートの厚みは、０．０７〜２．０ｍｍ、好ましくは０．１〜１．０ｍｍの範囲が良く、厚みが０．０７ｍｍでは、シートが脆くて取り扱いにくい。また、厚みが２．０ｍｍを越えると、電極部材として重量が重くなり、高所に鳥害防止装置を設置した時に、万が一、電極部材が落下した場合、危険である。
【実施例】
【００１３】
以下、実施例について説明するが、本発明はこれに限定されるものではない。
【００１４】
［評価方法］
（１）  積抵抗値測定
鳥害防止装置用電極部材の体積抵抗値はＪＩＳ  Ｋ  ７１９４に準じて、以下のように行った。
１．測定装置
Ｌｏｒｅｓｔａ  ＨＰ  （三菱化学（株）製）
２．測定方式
四端子四探針法（ＡＳＰタイププローブ）
３．測定印加電流
１００ｍＡ
【００１５】
（実施例）
膨張カーボンシート（「日本カーボン（株）」製  ニカフィルムＦＬ―３００  厚み０．４ｍｍ）の体積抵抗値を評価した結果、０．００３Ωｃｍであった。
【００１６】
該膨張カーボンシートを、鳥害防止装置の電極部材として使用したところ、鳥を撃退させるのに充分な電気ショックを与えることができた。
【００１７】
本発明の電極部材には、金属成分が含まれていないため、耐候性や耐食性に優れ、屋外で長期間使用しても、安定した電気ショックを与えることができるので、長期間使用できる鳥害防止装置を提供することができる。